(57)【特許請求の範囲】
【請求項１】
直読式あるいは円読式の水道メーターの表示盤の指針に磁石を装着したリットル針と、
前記リットル針の上方に、表示盤を被うカバーガラスを介して配置した磁気センサ手段を
備え、
前記リットル針は、２個を一対とする磁石が、各々の磁極の向きが指針の回転軸方向となる向きにして前記指針の回転軸の周囲に平面視で１８０°位置をずらして取り付けられたものとし、
一方、磁気センサ手段は、２個の磁気センサで構成され、前記２個のセンサは、前記リットル針に装着した各磁石に対して検出出力が９０°の位相差となるように配置されており、前記検出出力に基づいて流量を計量することを特徴とするハイブリッド水道メーター。
【請求項２】
上記磁気センサ手段を保持する第１のリング部材と、
前記第１のリング部材を上記メーターの表示盤を臨むレジスタボックスの開口に装着する第２のリング部材からなり、
前記第１のリング部材は、リングの内側方向へ突出して表示盤のリットル針の上方に前記センサ手段を保持するホルダー部が形成され、かつ、リングを回動させて第２のリング部材の係合部と係止させる係合手段が設けられ、
一方、第２のリング部材には、第１のリング部材との係合手段が設けられるとともに、レジスタボックスの開口に設けた凹部に嵌まる突起が設けられており、
前記第２のリング部材の突起をメーターのレジスタボックスの開口の凹部に嵌めて取り付けた後、第１のリング部材の係合部を第２のリング部材の係合部に係合させて回動し、第２のリング部材のホルダーの位置をレジスタボックスの表示盤のリットル針の上方に位置するように調整するセンサ装着部材を備えたことを特徴とする請求項１に記載のハイブリッド水道メーター。
【請求項３】
上記磁気センサ手段からの検出出力に基づいて流量を算出する演算手段と、演算手段の算出した流量データを表示する表示手段と、前記流量データを受信機へ送る送信手段を一体にして上記水道メーターに備えたことを特徴とする請求項１または２に記載のハイブリッド水道メーター。
【請求項４】
上記送信手段がアンテナコイルを分離してメーター収納箱に設置できるようにしたことを特徴とする請求項３に記載のハイブリッド水道メーター。
【請求項５】
上記アンテナコイルをメーター収納箱の蓋に磁性材からなるコイル取り付けカバーを介して取り付けたことを特徴とする請求項４のハイブリッド水道メーター。
【請求項６】
上記送信手段を無線によるものとしてメーター収納箱の外に配置し、その外に配置した送信手段と、メーター収納箱の中の演算手段とをケーブルを介して接続したことを特徴とする請求項４に記載のハイブリッド水道メーター。
【請求項７】
上記送信手段に表示手段を備えたことを特徴とする請求項６に記載のハイブリッド水道メーター。
【発明の詳細な説明】
【技術分野】
【０００１】
この発明は、直読式あるいは円読式水道メーターのメーター表示を直接デジタルデータに変換するハイブリッド水道メーターに関するものである。
【背景技術】
【０００２】
直読式や円読式の水道メーターは、検針業務の際に、表示盤のメーター値を読み取らねばならない。そのため、例えば、以下のような問題があった。
１．メーター収納ボックスの蓋が重くて開閉に力を要するため手間が掛かる。
２．メーター収納ボックスに砂や泥が入り込んで検針業務の妨げとなる。
３．メーター値を読み取る際にミスが発生する。
そこで、電子式水道メーターを採用することが試みられている。電子式水道メーターは、例えば、「特許文献１」に記載されているように、メーター内の流路を流れる水量に応じて回転する羽根車の回転数を検出器で検出する。そして、検出器で検出したパルス信号（正・逆転が区別されたもの）は、メーター内の制御部で瞬間流量や積算流量として計数してメーターの表示部に表示する。また、この電子式水道メーターは、先の計測値を通信により外部に出力可能に構成されており、例えば、ケーブルや無線で接続された地上の受信機へ先の計測パルスを出力して表示させるというものである。
【０００３】
ところが、電子式水道メーターは、直読式や円読式の水道メーターと構造上共用できる機構部分が少なく、新たにデジタル化に伴う専用の部品を準備しなければならない。そのため、直読式や円読式のものに比べて数倍程度高くなる。
【０００４】
このような問題を解決する一つの方法として、「特許文献２」には、図１６のように、直読式水道メーターのオーバーガラス１上に発光素子２と受光素子３を設けたものが記載されている。このメーターでは、オーバーガラス１上に、発光素子２と受光素子３を配置した透明円板５を取り付け、前記ガラス１を介して発光素子２から表示盤のパイロット４へ光を照射する。そして、その照射したパイロット４からの反射光は、前記オーバーガラス１を介して受光素子３で検出されるというものである。
すなわち、パイロット４は１回転すると、メーターの積算流量表示には１リットル加算されるため、その回転を検出することにより、水道の流量に比例したデジタル（パルス）信号を得るというものである。
このようにデジタル信号を得ることができるので、高価な電子式水道メーターに替えて安価な直読式や円読式のメーターを使用することができるというものである。
【先行技術文献】
【特許文献】
【０００５】
【特許文献１】特開２００８−５９４３６号公報
【特許文献２】特開２００２−１０７１９０号公報
【発明の概要】
【発明が解決しようとする課題】
【０００６】
しかしながら、上記のパイロットからの反射光を検出するものでは、例えば、配管からの気泡の進入などで、指針の進行が不規則に進んだり、戻ったりする乱行を起こした場合、パイロットの回転方向に関係なく、デジタル計数量は加算される。
したがって、メーター指針の表示が減少しているのに、デジタルによる計数量は増加している場合が生じることがあり、両者の値が乖離する。これは、メーターの正当性が疑われるという問題である。
また、上記の発光素子と受光素子を用いたものでは、オーバーガラスを介して光信号の受け渡しを行う。その際、反射光を受光素子へ入射するためには、発光素子から小さなパイロットへピンポイントで光を照射する必要がある。
しかしながら、オーバーガラスは、メーターの視認はできるが、光信号を入出させる際の透過に適したものとは言えない。
そのため、オーバーガラスを介しての光信号の入出力は、例えば、光信号の拡散、屈折、減衰などの影響をうけるため調整が難しく、正確に回転信号を得ることは難しいと考えられる。
しかも、発光素子、受光素子、透明円板や集光レンズなどは、長期の使用に際して、埃や泥などで汚れることは避けられないため、正確な回転信号を長期に亘って維持して出力することは難しい。
【０００７】
そこで、この発明の課題は、前記メーター指示とデジタル計量値が一致するようにすることである。また、その際、直読式や円読式の水道メーターの指示を長期間に亘って安定してデジタルデータに変換できるようにすることである。
【課題を解決するための手段】
【０００８】
上記の課題を解決するため、この発明では、直読式あるいは円読式の水道メーターの表示盤の指針に磁石を装着したリットル針と、前記リットル針の上方に、表示盤を被うカバーガラスを介して配置した磁気センサ手段を備え、前記リットル針は、２個を一対とする磁石が、各々の磁極の向きが指針の回転軸方向となる向きにして前記指針の回転軸の周囲に平面視で１８０°位置をずらして取り付けられたものとし、一方、磁気センサ手段は、２個の磁気センサで構成され、前記２個のセンサは、回動するリットル針に装着した各磁石に対して検出出力が９０°の位相差となるように配置されており、前記検出出力に基づいて流量を計量するという構成を採用したのである。
【０００９】
このような構成を採用することにより、磁石は、パイロットよりも軸のしっかりしたリットル針の指針に装着する。こうすることで、磁石の重量で計量が影響を受けないようにする。また、リットル針の上方に磁気センサ手段を配置して、磁気を介して回転を検出することにより、汚れや経年変化による検出精度の低下を防止する。さらに、磁気センサ手段を２個の磁気センサで構成し、その検出出力が９０°の位相差となるようにしたことにより、前記位相差からリットル針の回転方向が検出できるので、回転方向に基づいて計量値の加減算を行えば、メーター表示と一致させることができる。
【００１０】
また、このとき、上記磁気センサ手段を保持する第１のリング部材と、前記第１のリング部材を上記メーターの表示盤を臨むレジスタボックスの開口に装着する第２のリング部材からなり、前記第１のリング部材は、リングの内側方向へ突出して表示盤のリットル針の上方に前記センサ手段を保持するホルダー部が形成され、かつ、リングを回動させて第２のリング部材の係合部と係止させる係合手段が設けられ、一方、第２のリング部材には、第１のリング部材との係合手段が設けられるとともに、レジスタボックスの開口に設けた凹部に嵌まる突起が設けられており、前記第２のリング部材の突起をメーターのレジスタボックスの開口の凹部に嵌めて取り付けた後、第１のリング部材の係合部を第２のリング部材の係合部に係合させて回動し、第２のリング部材のホルダーの位置をレジスタボックスの表示盤のリットル針の上方に位置するように調整するセンサ装着手段を備えた構成を採用することができる。
【００１１】
このような構成を採用することにより、第１のリング部材を第２のリング部材に取り付ける際に、第１のリング部材を回動させることにより、ホルダー部の位置を調整して、センサ手段を最適な位置に配置することができる。
【００１２】
また、このとき、上記磁気センサ手段からの検出出力に基づいて流量を算出する演算手段と、演算手段の算出した流量データを表示する表示手段と、前記流量データを受信機へ送る送信手段を、上記水道メーターと一体に備えた構成を採用することができる。
【００１３】
このような構成を採用することにより、磁気センサ手段が検出したデータから演算手段が流量を算出し、その演算手段が算出した流量データを表示手段が表示して検針に対応するとともに、前記流量データを送信手段が送信することにより、遠隔検針を行えるようにできる。
【００１４】
このとき、上記送信手段がアンテナコイルを分離してメーター収納箱に設置できるようにした構成を採用することができる。
【００１５】
このような構成を採用することにより、分離した共振コイルを、例えば、メーター収納箱内の蓋の直下などの外部との通信が良好に行える位置へ設置できる。
【００１６】
また、上記アンテナコイルをメーター収納箱の蓋に磁性材からなるコイル取り付けカバーを介して取り付けた構成を採用することができる。
【００１７】
このような構成を採用することにより、アンテナコイルはカバーを介してメーター収納箱の蓋に取り付ければ、共振コイルの磁束を集束させることができるため、蓋のカバーを介してデータの送受信ができる。
【００１８】
また、上記送信手段を無線によるものとしてメーター収納箱の外に配置し、その外に配置した送信手段と、メーター収納箱の中の演算手段とをケーブルを介して接続した構成を採用することができる。
【００１９】
このような構成を採用することにより、無線を使用することができるので、遠隔地からのデータの取得ができる。
【００２０】
また、上記送信手段に表示手段を備えた構成を採用することができる。
【００２１】
このような構成を採用することにより、検針によるデータの取得も行える。
【発明の効果】
【００２２】
この発明は、上記のような構成を採用したことにより、高価な電子式水道メーターに替えて安価な直読式や円読式の水道メーターを使用できる。
【図面の簡単な説明】
【００２３】
【図１】実施形態の斜視図
【図２】図１の平面図
【図３】（ａ）実施形態の作用説明図、（ｂ）実施形態の作用説明図、（ｃ）実施形態の作用説明図
【図４】実施形態の要部の分解斜視図
【図５】実施形態の斜視図
【図６】実施形態の作用説明図
【図７】実施形態のブロック図
【図８】実施形態の作用説明図
【図９】（ａ）実施形態のフローチャート、（ｂ）実施形態のフローチャート、（ｃ）実施形態のフローチャート
【図１０】（ｄ）実施形態のフローチャート、（ｅ）実施形態のフローチャート
【図１１】実施例１の態様を示す作用説明図
【図１２】実施例１の他の態様を示すブロック図
【図１３】実施例１の他の態様を示す作用説明図
【図１４】実施例１の他の態様を示す作用説明図
【図１５】実施例１の他の態様を示す斜視図
【図１６】従来例の断面図
【発明を実施するための形態】
【００２４】
以下、この発明を実施するための形態を図面に基づいて説明する。
この形態のハイブリッド水道メーターは、直読式（カウンタ表示）単箱型接線流羽根車式メーターを用いたもので、図２のように、磁石１０を装着した表示盤９のリットル針１１と、磁気センサ手段１２及び図７のブロック図に示す演算手段３０、通信手段３１と表示手段３２とで構成され、前記演算手段３０と通信手段３１を収容する防水ケース１３を、図１のように、蓋１４の上に取り付けた構成となっている。
【００２５】
リットル針１１は、図３（ａ）に示すように、指針を左右に膨出させて磁石１０を取り付けたもので、リットル針１１が一回転すると、図３（ｂ）に示すように、後述する磁気センサ手段１２の下を２つの磁石が通過する。したがって、５リットルごとのカウントができる。
なお、ここでは、磁石１０を２個としたが、磁石１０の個数は２個に限定されるものではない。
磁石１０の個数を２Ｎ（Ｎ＝１、２、３・・・）と増やすことで２．５リットル、１．２５リットルのように分解能を向上できる。
また、磁石１０は、ここでは、図３（ｃ）のように、Ｓ極が上（図３（ａ）、（ｂ）紙面側）になるようにしてある。これは、磁気センサ手段１２をホールＩＣとした場合の磁束の向きを考慮したものである。
【００２６】
磁気センサ手段１２は、ここでは波形整形回路を備えたホールＩＣを用いており、ホールＩＣは、後述するように同じものを２個１２ａと１２ｂと並列に配置するようにしてある。この磁気センサ１２ａと１２ｂは、センサ装着部材１５によって支持される。
【００２７】
センサ装着部材１５は、例えば、図４に示すように、第１のリング部材１５ａと第２のリング部材１５ｂの２つの樹脂製のリング状部材で構成されている。
第１リング部材１５ａは、リングの内周方向へ突出したホルダー部１６を形成して、このホルダー部１６で２個のホールＩＣ１２ａ、１２ｂからなる磁気センサ手段１２を支持するようになっている。ここでは、例えば、磁気センサ手段１２を樹脂でモールドしてホルダー部１６を形成してある。
また、第１リング部材１５ａは、第２リング部材１５ｂとの係合手段として３個のフック状の第１の突起１７が設けられている。前記第１の突起１７は、フックの開口をリングの内側に向けて、リングの内周から下向きに突出させてある。
一方、第２リング部材１５ｂには、第１リング部材１５ａとの係合手段として３個のフック状の第２の突起１８が設けられている。前記第２の突起は、フックの開口をリングの外側に向けて、リングの内周から上向きに突出させてある。この第２リング部材１５ｂのリングの外周には、Ｌ形の突起１９が設けられている。
このような、第１と第２のリング部材１５ａ、１５ｂは、例えば、図４のように、計量機構（羽根車）を収容するレジスタボックス２０に取り付ける。
すなわち、表示盤９に臨むレジスタボックス２０の開口に嵌める。そのため、レジスタボックス２０の開口には、図４のように、周縁に凹部２１が在って、前記凹部２１に第２のリング部材１５ｂのＬ形の突起１９を嵌めて取り付ける。さらに、レジスタボックス２０の開口に嵌めた第２のリング部材１５ｂに第１のリング部材１５ａを重ねる。そして、第１のリング部材１５ａを回動させて、第１と第２のリング部材１５ａ、１５ｂの第１と第２の突起１７、１８を係合させる。このとき、第１と第２のリング部材１５ａ、１５ｂは、第１と第２のフック状の突起１７、１８による係止なので、フックが外れない範囲で左右に回動して位置調整ができる。
このようにすることで、図５のように、センサ装着部材１５を取り付けるようになっており、取り付けられた磁気センサ手段１２は、所定の検出位置に配置することができるため、図６のような検出信号が出力される。
【００２８】
検出信号は、図６（ａ）に示すように、リットル針１１の回転に伴って、磁気センサ１２ａと磁気センサ１２ｂは、９０°位相がずれた信号を出力するようになっており、図６（ｂ）の逆転時の波形と比較すると、正転と逆転で両センサ１２ａ、１２ｂの出力の位相が逆転する。そのため、その位相から、後述のようにメーターの逆転量も検出できるようになっている。そして、このような出力となるように、前記センサ１２ａと１２ｂは配置されるのである。
【００２９】
このセンサ１２ａと１２ｂの出力は、演算手段３０に入力される。演算手段３０は、マイクロコンピュータを主とする処理回路で構成されたもので、例えば、図６（ａ）のように、磁気センサ１２ａの出力パルスの立ち上がりエッジと立下りエッジの間に、磁気センサ１２ｂの出力パルスの立ち上がりエッジ「ア」を検出すると、メーターが正転しているとしてその正転を検出した磁気センサ１２ｂの立ち下がりエッジ「イ」で流量の加算をする。
一方、図６（ｂ）のように、磁気センサ１２ａの出力パルスの立ち上がりエッジと立下りエッジの間に、磁気センサ１２ｂの出力パルスの立ち下がりエッジ「ウ」を検出すると、メーターが逆転しているとしてその逆転を検出した磁気センサ１２ｂの立ち上がりエッジ「エ」で流量の減算を行うのである。
このように流量の加減算を行って積算量を算出することにより、指針で示される積算量（相対的な量）と、デジタルに変換した積算量が同じ値を示すことができる。
また、この算出した積算量は、この形態の場合、メーターの蓋１４に設けられた防水ケース１３に本演算手段３０と一緒に収容されている通信手段３１に送出されると共に、蓋１４上に設けられた表示手段（液晶など）３２に表示される。
【００３０】
前記通信手段（無線子局）３１は、ここでは、無線を使った周知のもので、処理回路が通信を制御しており、例えば、図７に示すように、外部のハンディターミナル２５からのリクエスト信号を受信すると、前記処理回路で算出された積算量を送信する。
ここで、ハンディターミナル２５は、通信手段（無線親局）３９、演算部４０、表示部４１を備えて、図７のように、水道メーターの積算量を検針するためのものである。
なお、防水ケース１３には、電池（例えば、Ｌｉ電池などの１０年程度使用可能なもの）を備えている。
【００３１】
この形態は、上記のように構成されており、例えば、ハイブリッド水道メーターは、単箱型接線流羽根車式メーターのリットル針１１を磁石１０が装着されたものに換装し、第１と第２のリング部材１５ａ、１５ｂを、例えば、図４のように、計量機構を収容したレジスタボックス２０の開口に第２のリング部材１５ｂ、第１のリング部材１５ａの順に重ねて取り付ける。そして、第１のリング部材１５ａを回動して、第１と第２のリング部材１５ａ、１５ｂの第１と第２の突起１７、１８を係合する。
その際、第１リング部材を左右に回動させることで、磁気センサ手段１２を最適な検出位置に取り付けることができる。このように、センサ装着部材１５を第１と第２のリング部材１５ａ、１５ｂに分けたことで、検出位置の調整ができるため、メーターごとの誤差を修正できる。
こうして組み立てられるハイブリッド水道メーターは、従来の単箱型接線流羽根車式メーターと同様に、例えば、図８に示すように、メーター箱３３に設置して配管に接続する。
【００３２】
設置された水道メーターは、例えば、図９〜図１０のフローチャートに基づいて処理を行う。
図９（ａ）にメインルーチン（「処理」１００：以下「処理」省略）を示す。メインルーチン（１００）は、図９（ｂ）のタイマ処理ルーチン（５００）と図９（ｃ）の通信処理ルーチン（７００）で構成されている。また、図９（ｃ）の通信処理ルーチン（７００）は、図１０（ｄ）の受信処理ルーチン（７１０）と図１０（ｅ）の送信処理サブルーチン（７５０）で構成される構造となっている。
【００３３】
この水道メーターは演算手段３０を起動すると、まず、メインルーチン（１００）が、初期設定として積算データをクリアし、識別用データをメモリから作業エリアへ読み込む。そして、マイクロコンピュータのタイマから年月日及び日時を読み込んで処理を開始する（２００）。
【００３４】
いま、水道を使用すると、水の使用に伴って流量の最下位表示をするためのリットル針１１が回転を開始し、このリットル針１１の回転と連動してメーターの表示盤９の上位の指針（カウンタ）も回転する。このとき、リットル針１１が回転すると、その回転に伴って、磁気センサ１２ａ、１２ｂが、図６（ａ）のように検出パルスを出力する。
この際、前記メーターのメインルーチンでは、ループ処理（３００）により所定時間ごとにタイマ割り込みを発生して（４００）タイマ処理ルーチンが繰り返し実行される（５００）。また、タイマ割り込み（４００）が発生しない場合は、タイマ処理ルーチン（５００）をスキップして、処理６００の通信割り込みを実行する。
【００３５】
タイマ処理ルーチン（５００）では、例えば、図９（ｂ）のフローチャートに示すように、磁気センサ１２ａ、１２ｂからの入力を読み込んで（５１０）、羽根車が回転中かどうかを判別する（５２０）。このとき、羽根車が回転中であれば、正転か逆転かを判別する（５４０）。そして、正転の場合は、１パルス当たりの流量を加算し（５６０）、逆転の場合は１パルス当たりの流量を減算する（５５０）。この正逆転の判定は、先に述べたように磁気センサ（１２ａ、１２ｂ）からの検出出力の位相で判定する。次に、その加減算した値を表示手段（５７０）に表示して、メインルーチンへリターンし（５８０）、次の通信処理（７００）を実行する。
一方、羽根車が回転中でなければ（５２０）、メインルーチンへ戻り（５３０）、次の通信割り込み処理（６００）を実行する。
このように、リットル針の回転に応じて積算量を加減算するので、メーター針のカウンタ表示（設置時からの積算量）と表示手段の表示（リットル針１１からの取得値）とを一致させることができる。
したがって、安価な直読式や円読式の水道メーターの機構を使用して、電子式水道メーターと同様に検査業務の問題を解決できる。
【００３６】
次に、メインルーチンは、所定時間ごとに、端末からの送信リクエストを受信するため割り込み処理を実行する（６００）。そして、送信リクエストを受信しない場合は、処理３００へ戻る。また、リクエストを受信した場合は、通信処理ルーチン（７００）を実行する。
通信処理ルーチン（７００）では、図９（ｃ）に示すように、まず、受信処理ルーチンを実行する（７１０）。受信処理ルーチン（７１０）は、図１０（ｄ）に示すように、受信データの識別符号が予めセットされたものと一致するかを判別する（７１１）。このとき、識別符合が一致すれば、呼び出し信号の有無や呼び出し信号の正当性を認証したことになるので、受信データを取得して通信処理ルーチンへリターンする（７１２）。このとき、識別符号が一致しなければ、受信したデータを破棄してスリープ状態に移行して、次のタイマ割り込みの発生に備える（７１３）。
一方、識別符号が一致した場合は、図９（ｃ）のように、データ本体のパリティチェック（７２０）と電文エラー（決められた「送信開始」電文）が無い場合は、送信処理を行う（７４０）。また、受信できない場合は、処理３００へリターンする（７３０）。
送信処理（７５０）では、図１０（ｅ）に示すように、キャリアセンスにより、複数のキャリアが送出されていないか、電波の状況を確認する（７５１）。このとき、同一周波数のキャリアが無ければ（７５２）、通信処理ルーチンへ戻って（７５０）、積算データを前記キャリアに乗せて送信する。送信終了後は、処理３００へ戻って処理３００〜７００を繰り返す。
一方、同一周波数で通信中のキャリアがあれば、一定時間経過してから繰り返しキャリアセンスを行って積算量を送信する（７５３）。また、繰り返しの時間がタイムアウトした場合は、スリープ（省電力待機モード）状態になって必要最小限の電力状態で次回の通信割り込みが発生するまで待機する（７５４）。
このように、端末へ積算量のデジタルデータを送信することができるので、高価な電子式水道メーターに替えて使用できる。
【実施例１】
【００３７】
この実施例１は、ハイブリッド水道メーターの設置タイプを示したもので、図１１は、誘導方式によるデータ送信に対応したものを示す。この場合、無線通信手段に替えて、ピックアップコイル６０と共振コンデンサとからなる共振回路を使用した周知（例えば、特開平４−８８５００号公報第２図）のもので、例えば、図１２に示すように、ハンディターミナル３６の共振回路との間でデータの受け渡しができるようにしたものである。この場合、メーター側の誘導（ピックアップ）コイル６０は、メーター箱３３の蓋３４に取り付けるようにしても良いが、図１４に示すように、蓋３４を貫通したフェライトなどのコイル取り付けカバー３５を使用するようにしても良い。
また、図１３は、無線通信手段を収容した防水ケース１３をケーブルでメーター本体から分離してメーター箱３３の外へ配置できるようにしたものである。このように前記ケース１３をメーター箱３３の外に配置することで、送信可能な範囲を広くできるというものである。また、防水ケース１３に、表示手段３２を設け、流量の監視（モニタ）がメーター箱３３の蓋３４を開けることなく、直接読み取れるようにしたことにより、利便性を向上させたものである。
図１４は、図１１の共振回路と、図１３の防水ケース１３の二つのインターフェースを備えたもので、メーター箱３３の蓋３４には、蓋３４を貫通するフェライトなどのコイル取り付けカバー３５を設けてある。こうすることで、積算データ取得側が誘導タイプでも無線機タイプでも対応できる。
ちなみに、符号３６は、誘導方式によるハンディターミナルである。
【００３８】
なお、実施形態では、水道メーターへの磁気センサ手段１２の取り付けには、リング状のセンサ装着部材１５を用いてレジスタボックス２０に取り付けたが、磁気センサ手段１２の取り付けは、このようなセンサ装着部材１５の使用に限定されるものではない。例えば、図１５に示すように、水道メーターのオーバーガラス板１に磁気センサ１２ａ、１２ｂを直接接着するようにしたり、レジスタボックス２０の開口に直接設けたりするようにしても良い。ここで、図１５の符号１３は無線通信機を備えた防水ケース、符号３７は通信端末である。他の作用効果については実施形態と同じである。
【符号の説明】
【００３９】
９  表示盤
１０  磁石
１１  リットル針
１２  磁気センサ手段
１２ａ  磁気センサ
１２ｂ  磁気センサ
１３  防水ケース
１５  センサ装着部材
１５ａ  第１のリング部材
１５ｂ  第２のリング部材
１６  ホルダー部材
１７  第１突起
１８  第２突起
１９  突起
２０  レジスタボックス
２１  凹部
３０  演算手段
３１  通信手段
３２  表示手段
３３  メーター箱
３４  メーター箱の蓋
【図１】
0005873686.tif 000002
【図２】
0005873686.tif 000003
【図３】
0005873686.tif 000004
【図４】
0005873686.tif 000005
【図５】
0005873686.tif 000006
【図６】
0005873686.tif 000007
【図７】
0005873686.tif 000008
【図８】
0005873686.tif 000009
【図９】
0005873686.tif 000010
【図１０】
0005873686.tif 000011
【図１１】
0005873686.tif 000012
【図１２】
0005873686.tif 000013
【図１３】
0005873686.tif 000014
【図１４】
0005873686.tif 000015
【図１５】
0005873686.tif 000016
【図１６】
0005873686.tif 000017